(57)【要約】アクセサリークリップ（１１）及びアクセサリー支持体（３１）からなるアクセサリー支持システムであって、前記アクセサリークリップ（１１）は、支持手段により支持されるように適合されているとともにクリップ係止手段（２４）を有する本体からなり、前記クリップ係止手段（２４）はアクセサリー支持体（３１）を受け入れて着脱可能に係止することによりアクセサリー支持体（３１）を支持するように適合されており、前記アクセサリー支持体は、少なくとも１つのアクセサリーを着脱可能に受け入れて支持するように適合されているとともに、前記クリップ係止手段（２４）と協同するように適合された対応の支持体係止手段（４８）を有することを特徴とするアクセサリー支持システム。
2005536294.tif 000002
【特許請求の範囲】
【請求項１】
アクセサリークリップ及びアクセサリー支持体からなるアクセサリー支持システムであって、前記アクセサリークリップは、支持手段により支持されるように適合されているとともにクリップ係止手段を有する本体からなり、前記クリップ係止手段はアクセサリー支持体を受け入れて着脱可能に係止することによりアクセサリー支持体を支持するように適合されており、前記アクセサリー支持体は、少なくとも１つのアクセサリーを着脱可能に受け入れて支持するように適合されているとともに、前記クリップ係止手段と協同するように適合された対応の支持体係止手段を有することを特徴とするアクセサリー支持システム。
【請求項２】
前記アクセサリークリップが一組の対向部材を有し、該部材が互いに係合するように弾性的に片寄らされていることにより前記支持手段を提供することを特徴とする請求項１に記載のアクセサリー支持システム。
【請求項３】
前記クリップ係止手段が、前記アクセサリークリップの外面に備え付けられた取り付け手段からなり、前記支持体係止手段が、前記アクセサリー支持体の外面に備え付けられた相補的な取り付け手段からなることを特徴とする請求項１又は請求項２に記載のアクセサリー支持システム。
【請求項４】
前記クリップ係止手段と取り付け手段が、それぞれ前記アクセサリークリップと前記アクセサリー支持体に接着して保たれた面ファスナー材の相補的なパッドからなることを特徴とする請求項３に記載のアクセサリー支持システム。
【請求項５】
前記アクセサリー支持体が、少なくとも１つのゴルフティーを支持するように適合されているティー支持体からなることを特徴とする前記先行する請求項のいずれか１項に記載のアクセサリー支持システム。
【請求項６】
前記ティー支持体が、複数の孔を有する本体からなり、各孔がゴルフティーを受け入れて支持するように適合されていることを特徴とする請求項５に記載のアクセサリー支持システム。
【請求項７】
前記アクセサリー支持体が、グリーンマーカーを支持するように適合されたグリーンマーカー支持体からなることを特徴とする請求項１ないし請求項４のいずれか１項に記載のアクセサリー支持システム。
【請求項８】
前記グリーンマーカー支持体が、本体部材と、一組の対向する留め部材とからなり、前記留め部材は、前記本体部材と係合するように弾性的に片寄らされ、その間にグリーンマーカーを受け入れるように適合されていることを特徴とする請求項７に記載のアクセサリー支持システム。
【請求項９】
前記クリップ係止手段が、別の物体の相補的な係止手段とも協同するように適合されていることにより、その別の物体を支持するように適合されていることを特徴とする前記先行する請求項のいずれか１項に記載のアクセサリー支持システム。
【請求項１０】
前記別の物体が手袋であることを特徴とする請求項９に記載のアクセサリー支持システム。
【請求項１１】
実質的にここに記載されているアクセサリー支持システム。
【請求項１２】
添付図面を参照して実質的にここに記載されているアクセサリー支持システム。
【発明の詳細な説明】
【技術分野】
【０００１】
本発明は、アクセサリーを支持するためのシステムに関する。
【背景技術】
【０００２】
多くの活動において、何か他の活動が行われる間、短時間の間に片付けられねばならない特定のアクセサリーは手で容易に持つことが必要となる。ゴルフのスポーツは、ゲーム中の様々な時間において、プレイヤーが多数の異なる物体を保持し、他の時間には片付けられねばならないことを要求する活動の一例である。そのような物品の例として、ティーとグリーンマーカーがある。これまで、必要な時にはそれらが便利な方法でプレイヤーに保たれ、他の時間では他の所に置くことができるような、そのようなアクセサリーを保持するための便利な手段はなかった。
【発明の開示】
【０００３】
それゆえ、アクセサリークリップ及びアクセサリー支持体からなるアクセサリー支持システムであって、前記アクセサリークリップは、支持手段により支持されるように適合されているとともにクリップ係止手段を有する本体からなり、前記クリップ係止手段はアクセサリー支持体を受け入れて着脱可能に係止することによりアクセサリー支持体を支持するように適合されており、前記アクセサリー支持体は、少なくとも１つのアクセサリーを着脱可能に受け入れて支持するように適合されているとともに、前記クリップ係止手段と協同するように適合された対応の支持体係止手段を有することを特徴とするアクセサリー支持システムが開示される。
【０００４】
本発明の好ましい構成によれば、前記アクセサリークリップが一組の対向部材を有し、該部材が互いに係合するように弾性的に片寄らされていることにより前記支持手段を提供する。
【０００５】
本発明の好ましい構成によれば、前記クリップ係止手段が、前記アクセサリークリップの外面に備え付けられた取り付け手段からなり、前記支持体係止手段が、前記アクセサリー支持体の外面に備え付けられた相補的な取り付け手段からなる。
【０００６】
好ましい態様によれば、前記クリップ係止手段と取り付け手段が、それぞれ前記アクセサリークリップと前記アクセサリー支持体に接着して保たれた面ファスナー材の相補的なパッドからなる。
【０００７】
好ましい態様によれば、前記アクセサリー支持体が、少なくとも１つのゴルフティーを支持するように適合されているティー支持体からなる。好ましい態様によれば、前記ティー支持体が、複数の孔を有する本体からなり、各孔がゴルフティーを受け入れて支持するように適合されている。
【０００８】
好ましい態様によれば、前記アクセサリー支持体が、グリーンマーカーを支持するように適合されたグリーンマーカー支持体からなる。好ましい態様によれば、前記グリーンマーカー支持体が、本体部材と、一組の対向する留め部材とからなり、前記留め部材は、前記本体部材と係合するように弾性的に片寄らされ、その間にグリーンマーカーを受け入れるように適合されている。
【０００９】
本発明は、２つの具体的な態様の以下の記載に照らしてさらに十分に理解されるであろう。
【発明を実施するための最良の形態】
【００１０】
本発明の第１の態様は、ゴルフのゲームをする間に使用できるゴルフティーを支持するように適合されたアクセサリークリップ及びアクセサリー支持体からなっているアクセサリー支持システムに向けられている。
【００１１】
そのアクセサリークリップの態様は、図１Ａから１Ｆに示されている。クリップ１１は、前方の、実質的に平面的な部材１２と、対向する後方の実質的に平面的な部材１４からなる。その２つの部材１２及び１４は、その前後の部材と一体的である湾曲した連結部材１６により相互に連結されている。連結部材１６は、前方部材１２と後方部材１４を接触ライン１８に沿って係合するように片寄らせている。後方部材１４は、前方部材１２から離れるように接触ライン１８付近から延びる突出部２０で終端している。
【００１２】
図１Ｂに示されているように、前方部材１２は、図１Ｄに示されるような後方部材１４と同様に実質的に長方形である。図１Ａに見られるように、前方部材１２から離れるように延びる突出部２０は、クリップ１１の２つの部材１２及び１４の間に滑り込まされた材料を受け入れるように適合された開口部２２を提供し、それにより接触ライン１８に沿って係止される。このように、そのクリップは、例えばベルトやズボンの上縁、あるいはおそらくシャツのポケットなどのゴルファーの衣服の適切な部分によって受けられるように適合されている。それはゴルフバッグの一部などの適切な支持体に貼られてもよい。
【００１３】
前方部材１２は、適切な接着剤によって前方部材１２に接着している面ファスナー材の形で係止手段２４が設けられている。
【００１４】
美観上の魅力を高めるため、図１Ｆに示されるように、クリップは選択的に透明感のあるプラスチック材料から作られる。
【００１５】
第１の態様のアクセサリー支持体は、ティー支持体３１からなる。ティー支持体は平面的な部材３２と、その主要部材３２の一辺で延出している横部材３４と、主要部材の下端で主要部材から外に向けて斜めに延びる足部材３６とからなる。
【００１６】
図２Ａに示されているように、横部材３４は第１の副部材３５と、湾曲したリンケージ４０によって第１の副部材３５から支持された第２の副部材３８とからなる。一連の３つの孔４２が第１の副部材３５を通り抜けている。対応する軸方向に位置合わせされた孔４４も第２の副部材３８を貫通している。対応する軸方向に位置合わせされたアーチ形の切り欠き４６が、足部材３６の縁を切り取っている。
【００１７】
図３に示されるように、ティー支持体はゴルフティーを受け入れるように適合されており、それは第１の副部材３５における孔４２の中を通って第２の副部材３８における孔４４を通過し、足３６における切り欠き４６と接するように挿入されていることが理解できよう。
【００１８】
平面部材３２は、適切な接着剤によってその部材に接着された面ファスナー材のパッド４８が設けられている。このような方法でティー支持体はアクセサリークリップを係止するように適合されることで、先に述べたようにゴルファーに取付けることができるアクセサリークリップによって支持される。使わないときは、ティー支持体は、おそらくゴルファーのクラブバッグ又は手押しカート上に据え付けられている別のアクセサリークリップに取付けられるように適合されている。このような方法でゴルファーは、複数のティーを保持しているティー支持体を、ゴルフバギーに取付けられたアクセサリークリップから容易に取り外し、次いで、そのティー支持体をティーショットをする準備をしている時に衣服の上のアクセサリークリップに取り付け、その後、素早く先の使用に備えてそれをバギーに戻すことができる。
【００１９】
本発明の第２の態様は、ゴルフのゲームをしている間に使用できるグリーンマーカーを支持するように適合されたアクセサリークリップとアクセサリー支持体とからなるアクセサリー支持システムに向けられている。
【００２０】
第２の態様のアクセサリークリップは第１の態様のアクセサリークリップと同一であり、再度説明はしない。第２の態様のアクセサリー支持体は、グリーンマーカー６２を支持するように適合されたマーカー支持体６１からなる。図４Ａ−Ｄに示されているように、マーカー支持体６１は、後方部材７４が、口部２２からその部材を中心で分割している長いスロット６５により２つの部分６３と６４に実質的に分割されている以外はアクセサリークリップ１１と実質的に類似しているクリップからなる。図４Ａ−４Ｆに示されるように、ディスク部分６６とピン部分６８からなる典型的なグリーンマーカー６２はマーカー支持体６１の中に滑り込まされ、ディスク部分６６の外側の平坦な面は前方部材７２の内側面と位置合わせされ、ピン部分６８は実質的にスロット６５の軸と位置合わせされる。示されているように、マーカーが前後の部材の間に滑り込まされ、それにより係止される。
【００２１】
マーカー支持体は、適切な接着剤によって前方部材５８に接着されている面ファスナーパッド７０をさらに含んでいる。それにより、マーカー支持体はアクセサリークリップに係止されるように容易に適合され、それにより支持される。この場合もやはり、ティー支持体のように、使用しないときには、マーカー支持体はゴルファーにより身に付けられたアクセサリークリップから取り外され、クラブバッグに結合された別のアクセサリークリップに置くことができる。
【００２２】
この新規なアクセサリー支持システムは、アクセサリークリップと係合するように適合された、しかるべきアクセサリー支持部材の設計によって様々なアクセサリーを支持するように容易に適合されることが理解できるであろう。それにより、必要な時には１つの場所でアクセサリーを支持し、他の時にはそれらをなくさないようなやり方で代わりの場所に安全に支持することができるとても有用なシステムが提供される。
【００２３】
そのシステムのさらなる利点は、アクセサリークリップにより提供される。アクセサリー支持体を支持するために使用しないときは、代わりに、協同する係止手段をそれ自体に有するアイテムを支持するために使用されてもよい。そのようなアイテムの一例は、ゴルファーの手袋である。これらは、手首の支持体を手袋に保つために面ファスナー材の部分が付いたものが現在では通常製造されている。手袋が取り外されたとき、ゴルファーはそれを素早くかつ直接、アクセサリークリップのその協同する係止パッドに取り付けてそこにしっかりと保持することができる。良く知られているように、手袋はその後適度な力で引くだけで面ファスナーの係止から容易に取り外すことができる。
【００２４】
当業者に分かるであろう変更及び変形は、本発明の範囲内であると解され、本発明は上記態様の特定の範囲に限定される必要はないと認識されるべきである。
【００２５】
明細書全体にわたって、もしその文脈が別の点から必要としていないならば、用語「からなる」、または「からなり」もしくは「からなっている」のような変形は、所定の完全体または完全体の群の包含を意味し、何らかの他の完全体又は完全体の群の排除を意味するものではないと理解されるであろう。
【図面の簡単な説明】
【００２６】
次の添付図面を参照して説明がなされている。
【図１Ａ】第１の態様に係るアクセサリークリップの側面図である。
【図１Ｂ】第１の態様に係るアクセサリークリップの正面図である。
【図１Ｃ】第１の態様に係るアクセサリークリップの平面図である。
【図１Ｄ】第１の態様に係るアクセサリークリップの背面図である。
【図１Ｅ】第１の態様に係るアクセサリークリップの上部後方斜視図である。
【図１Ｆ】第１の態様に係るアクセサリークリップの下部後方斜視図である。
【図２Ａ】第１の態様に係るアクセサリー支持体の側面図である。
【図２Ｂ】第１の態様に係るアクセサリー支持体の正面図である。
【図２Ｃ】第１の態様に係るアクセサリー支持体の平面図である。
【図２Ｄ】第１の態様に係るアクセサリー支持体の背面図である。
【図２Ｅ】第１の態様に係るアクセサリー支持体の上部後方斜視図である。
【図２Ｆ】第１の態様に係るアクセサリー支持体の上部前方斜視図である。
【図３】第１の態様に係る取り付けのために並べられたアクセサリークリップとアクセサリー支持体を示す斜視図である。
【図４Ａ】挿入のために並べられたグリーンマーカーを示す第２の態様に係るアクセサリー支持体の側面図である。
【図４Ｂ】挿入のために並べられたグリーンマーカーを示す第２の態様に係るアクセサリー支持体の背面図である。
【図４Ｃ】挿入のために並べられたグリーンマーカーを示す第２の態様に係るアクセサリー支持体の上部後方斜視図である。
【図４Ｄ】挿入されたグリーンマーカーを示す第２の態様に係るアクセサリー支持体の上部後方斜視図である。
【図５】第２の態様に係る取り付けのために並べられたアクセサリークリップ及びアクセサリー支持体を示す斜視図である。
2005536294.tif 000003
2005536294.tif 000004
【図３】
2005536294.tif 000005
【図５】
2005536294.tif 000006
2005536294.tif 000007
【国際調査報告】
2005536294.tif 000008
2005536294.tif 000009
2005536294.tif 000010